(57)【要約】【課題】他の移動手段経路とともに貸出車両経路を提示するに際し、ユーザの経路選択を後押しできる情報処理システムを提供する。【解決手段】情報処理システムは、出発地から目的地までの候補経路として貸出車両経路および他の移動手段経路を経路探索により取得する経路情報取得手段と、候補経路の概要情報を比較可能に出力する経路情報出力手段と、を備える。経路情報取得手段は、貸出車両経路の利用可能性に関する情報をさらに取得し、経路情報出力手段は、候補経路の概要情報を比較可能に出力する際に、貸出車両経路の概要情報とともに、貸出車両経路の利用可能性に関する情報を出力する。【選択図】  図１
2020051763.tif 000002
【特許請求の範囲】
【請求項１】
出発地から目的地までの候補経路として貸出車両経路および他の移動手段経路を経路探索により取得する経路情報取得手段と、
前記候補経路の概要情報を比較可能に出力する経路情報出力手段と、
を備え、
前記経路情報取得手段は、貸出車両経路の利用可能性に関する情報をさらに取得し、
前記経路情報出力手段は、前記候補経路の概要情報を比較可能に出力する際に、貸出車両経路の概要情報とともに、貸出車両経路の利用可能性に関する情報を出力する、
情報処理システム。
【請求項２】
前記利用可能性に関する情報は、現在または利用予定日時における、乗車ポートの満空、貸出可能台数、予約状況、充電状況、最大車両数、降車ポートの満空、返却可能台数、最大車両数のうちのいずれかに基づく情報である、
請求項１に記載の情報処理システム。
【請求項３】
前記利用可能性に関する情報は、貸出車両経路の走行環境または経路状況に関する情報であって、天候、気温、路面状況、降水確率、勾配、走行距離、幅員のうちのいずれかに基づく情報である、
請求項１または２に記載の情報処理システム。
【請求項４】
前記経路情報取得手段は、過去の利用実績または経路探索実績に基づいて、乗車ポートまたは降車ポートの空き状況を予測する、
請求項１〜３のいずれかに記載の情報処理システム。
【請求項５】
前記経路情報出力手段は、乗車ポートと降車ポートの双方が利用可能である場合に、貸出車両経路の利用可能性に関する情報を出力する、
請求項１〜４のいずれかに記載の情報処理システム。
【請求項６】
前記経路情報出力手段は、貸出車両経路の利用可能性に関する情報に基づいて、当該貸出車両経路の概要情報の出力の有無または表示順を決定する、
請求項１〜５のいずれかに記載の情報処理システム。
【請求項７】
前記経路情報出力手段は、前記貸出車両経路の詳細情報の出力要求を受け付けると、前記貸出車両経路の詳細情報とともに、対象区間における貸出車両の予約画面へ遷移するための情報を出力する、
請求項１〜６のいずれかに記載の情報処理システム。
【請求項８】
前記経路情報取得手段は、貸出車両経路の利用可能性に関する情報を探索コストに換算して経路探索する、
請求項１〜７のいずれかに記載の情報処理システム。
【請求項９】
コンピュータを、
出発地から目的地までの候補経路として貸出車両経路および他の移動手段経路を経路探索により取得する取得手段であって、前記貸出車両経路の利用可能性に関する情報をさらに取得する経路情報取得手段と、
前記候補経路の概要情報を比較可能に出力する出力手段であって、前記候補経路の概要情報を比較可能に出力する際に、貸出車両経路の概要情報とともに、貸出車両経路の利用可能性に関する情報を出力する経路情報出力手段と、
として機能させる情報処理プログラム。
【請求項１０】
出発地から目的地までの候補経路として貸出車両経路および他の移動手段経路を経路探索により取得する経路情報取得ステップと、
前記候補経路の概要情報を比較可能に出力する経路情報出力ステップと、
を備え、
前記経路情報取得ステップでは、前記貸出車両経路の利用可能性に関する情報をさらに取得し、
前記経路情報出力ステップでは、前記候補経路の概要情報を比較可能に出力する際に、貸出車両経路の概要情報とともに、貸出車両経路の利用可能性に関する情報を出力する、
情報処理方法。
【発明の詳細な説明】
【技術分野】
【０００１】
本発明は、情報処理システム、情報処理プログラムおよび情報処理方法に関する。
【背景技術】
【０００２】
従来から、シェアサイクルを利用する経路（シェアサイクル経路）を探索するシステムが知られている。特許文献１には、ポート間の車両の偏りが分散するように、ポートに停車中の台数を考慮してシェアサイクル経路を探索する技術が提案されている。
【先行技術文献】
【特許文献】
【０００３】
【特許文献１】特許第５７７４８６０号公報
【発明の概要】
【発明が解決しようとする課題】
【０００４】
しかしながら、本件発明者らの調査によれば、従来の経路探索システムでは、貸出車両を利用する経路（貸出車両経路）が経路探索により提示されたとしても、いざ利用するタイミングで車両を確実に利用できるかどうかや、利用に適した状況であるかどうかかが不明であり、実際の移動経路としては採用されないことが多かった。
【０００５】
本発明は、以上のような点を考慮してなされたものである。本発明の目的は、他の移動手段経路とともに貸出車両経路を提示するに際し、ユーザの経路選択を後押しできる情報処理装置、情報処理プログラムおよび情報処理方法を提供することにある。
【課題を解決するための手段】
【０００６】
本発明に係る情報処理システムは、
出発地から目的地までの候補経路として貸出車両経路および他の移動手段経路を経路探索により取得する経路情報取得手段と、
前記候補経路の概要情報を比較可能に出力する経路情報出力手段と、
を備え、
前記経路情報取得手段は、貸出車両経路の利用可能性に関する情報をさらに取得し、
前記経路情報出力手段は、前記候補経路の概要情報を比較可能に出力する際に、貸出車両経路の概要情報とともに、貸出車両経路の利用可能性に関する情報を出力する。
【発明の効果】
【０００７】
本発明によれば、他の移動手段経路とともに貸出車両経路を提示するに際し、ユーザの経路選択を後押しできる。
【図面の簡単な説明】
【０００８】
【図１】図１は、一実施の形態に係る情報処理システムの概略的な構成を示す図である。
【図２】図２は、一実施の形態に係る情報処理システムの動作の一例を示すフローチャートである。
【図３】図３は、一実施の形態に係る情報処理システムにより表示される画面の一例を示す図である。
【図４】図４は、一実施の形態に係る情報処理システムにより表示される画面の一例を示す図である。
【図５】図５は、貸出車両経路の利用可能性に関する情報についての表示の別の一例を示す図である。
【図６】図６は、貸出車両経路の利用可能性に関する情報についての表示の別の一例を示す図である。
【図７】図７は、一実施の形態に係る情報処理システムにより表示される画面の一例を示す図である。
【図８】図８は、一実施の形態に係る情報処理システムにより表示される画面の一例を示す図である。
【発明を実施するための形態】
【０００９】
以下に、添付の図面を参照して、本発明の実施の形態を詳細に説明する。なお、各図において同等の機能を有する構成要素には同一の符号を付し、同一符号の構成要素の詳しい説明は繰り返さない。
【００１０】
以下に説明する実施の形態では、「貸出車両」として、無人のポートで貸出・返却が行われるシェアサイクルを例に挙げて説明することがあるが、「貸出車両」は、シェアサイクルに限られるものではなく、セグウェイ（登録商標）のような電動立ち乗り二輪車、電動立ち乗り一輪車、ＣＯＭＳ（登録商標）のような超小型電気自動車、カーシェアリングなどの、無人のポートで貸出・返却が行われる移動支援機器を広く含む表現である。また、貸出・返却のポートは、固定の場所に設置されているものに限られず、固定の場所に設置されていないものであってもよい。すなわち、本発明は、貸出車両として乗り捨て可能な車両や放置車両を利用することができるシェアサイクルサービスにも適用可能である。この場合、車両の存在する位置情報に基づいて仮想的なポートが設定されてもよい。また、「貸出車両」は、有人の店舗で貸出・返却が行われるレンタカーやレンタルバイク、レンタサイクルを含んでもよい。
【００１１】
＜第１の実施形態＞
第１の実施形態に係る情報処理システムについて説明する。図１は、第１の実施形態に係る情報処理システム１の概略的な構成を示す図である。なお、同図において、各機能を行う機能部は、それぞれ各機能を行う手段ということができる。
【００１２】
図１に示すように、情報処理システム１は、端末装置２と、経路探索サーバ３と、貸出車両管理サーバ５と、車載機器６と、ポート設置機器７とを備えている。端末装置２と経路探索サーバ３と貸出車両管理サーバ５と車載機器６とは、インターネット等のネットワーク４を介して互いに通信可能に接続されている。ネットワーク４は、有線回線と無線回線のいずれでもよく、回線の種類や形態は問わない。なお、端末装置２と経路探索サーバ３と貸出車両管理サーバ５と車載機器６の少なくとも一部は、コンピュータにより実現される。
【００１３】
（端末装置）
端末装置２は、ユーザが使用するものであり、たとえば、スマートフォンやタブレット端末などのモバイル端末、ノートブックコンピュータ、またはデスクトップコンピュータなどの電子機器である。
【００１４】
図１に示すように、端末装置２は、端末通信部２１と、端末制御部２２と、端末記憶部２３と、端末入力部２４と、端末出力部２５とを有している。各部は、バスを介して互いに通信可能に接続されている。
【００１５】
端末通信部２１は、端末装置２とネットワーク４との間の通信インターフェースである。端末通信部２１は、ネットワーク４を介して端末装置２と経路探索サーバ３および貸出車両管理サーバ５との間で情報を送受信する。
【００１６】
端末制御部２２は、端末装置２の各種処理を行う制御手段である。端末制御部２２は、端末装置２内のプロセッサが所定のプログラムを実行することにより実現されてもよいし、ハードウェアで実装されてもよい。
【００１７】
端末記憶部２３は、たとえば内蔵メモリや外部メモリ（ＳＤメモリカード等）などのデータストレージである。端末記憶部２３には、端末制御部２２が取り扱う各種データが記憶される。端末記憶部２３は、必ずしも端末装置２内に設けられていなくてもよく、ネットワーク４を介して端末装置２と通信可能に接続された別の装置（たとえば、サーバ）内に設けられていてもよい。
【００１８】
端末入力部２４は、ユーザが端末装置２に情報を入力するためのインターフェースであり、たとえばモバイル端末におけるタッチパネルやマイクロフォン、ノートブックコンピュータにおけるタッチパッド、キーボードまたはマウスなどである。
【００１９】
端末出力部２５は、端末装置２からユーザに対して各種情報を出力するインターフェースであり、たとえば液晶ディスプレイ等の映像表示手段やスピーカ等の音声出力手段である。具体的には、たとえば、端末出力部２５は、ユーザからの操作を受け付けるためのＧＵＩ（Ｇｒａｐｈｉｃａｌ  Ｕｓｅｒ  Ｉｎｔｅｒｆａｃｅ）を表示してもよい。
【００２０】
（車載機器）
車載機器６は、貸出車両に搭載されて貸出車両とともに移動する電子機器であり、車載機器通信部６１と、位置測位部６２と、ビーコン受信部６３とを有している。
【００２１】
車載機器通信部６１は、車載機器６とネットワーク４との間の通信インターフェースである。車載機器通信部６１は、ネットワーク４を介して車載機器６と貸出車両管理サーバ５との間で情報を送受信する。
【００２２】
位置測位部６２は、たとえば、ＧＰＳや準天頂衛星（ＱＺＳＳ）などの電波航法手段による測位情報に基づいて現在位置を測位する。車載機器６は、貸出車両に搭載されて貸出車両とともに移動するものであるから、位置測位部６２により測位された位置情報は、貸出車両の位置情報を示すものである。位置測位部６２により測位された位置情報は、所定周期ごと（たとえば、１秒ごとなど）に、ネットワーク４を介して貸出車両管理サーバ５へと送信される。
【００２３】
ビーコン受信部６３は、貸出車両が貸出返却拠点としてのポートに停車されている場合に、当該ポートに設置されたポート設置機器７のビーコン発信部７０から送信されるビーコン信号を受信する。ビーコン受信部６３がビーコン信号を受信すると、車載機器通信部６１は、ビーコン信号に基づく情報を、ネットワーク４を介して貸出車両管理サーバ５へと送信する。
【００２４】
（貸出車両管理サーバ）
貸出車両管理サーバ５は、各貸出車両に搭載された車載機器６と通信可能なシステムであり、第２サーバ通信部５１と、第２サーバ制御部５２と、第２サーバ記憶部５３とを有している。各部は、バスやネットワークを介して互いに通信可能に接続されている。
【００２５】
このうち第２サーバ通信部５１は、貸出車両管理サーバ５とネットワーク４との間の通信インターフェースである。第２サーバ通信部５１は、ネットワーク４を介して貸出車両管理サーバ５と端末装置２、経路探索サーバ３および車載機器６との間で情報を送受信する。
【００２６】
第２サーバ制御部５２は、貸出車両管理サーバ５の各種処理を行う制御手段である。第２サーバ制御部５２は、貸出車両管理サーバ５内のプロセッサが所定のプログラムを実行することにより実現されてもよいし、ハードウェアで実装されてもよい。
【００２７】
第２サーバ記憶部５３は、たとえばハードディスク等の固定型データストレージである。第２サーバ記憶部５３には、第２サーバ制御部５２が取り扱う各種データが記憶される。たとえば、第２サーバ記憶部５３は、ポート利用状況データベース５３ａと貸出車両利用実績データベース５３ｂとを有している。
【００２８】
ポート利用状況データベース５３ａは、各地に設置されたポートの利用状況（貸出可能台数、返却可能台数など）をリアルタイムで記憶して管理している。本実施の形態では、上述したように、各ポートのポート設置機器７から送信されるビーコン信号が当該ポートに停車中の貸出車両の車載機器６にて受信されると、ビーコン信号に基づく情報が車載機器６から貸出車両管理サーバ５へと送信されるようになっており、貸出車両管理サーバ５は、各車載機器６から受信する情報に基づいて、各ポートに停車中の貸出車両の台数を集計することにより、各ポートの利用状況をリアルタイムで把握する。把握された各ポートの利用状況は、ポート利用状況データベース５３ａに記憶されて管理される。
【００２９】
貸出車両利用実績データベース５３ｂは、貸出車両の利用ごとに、利用者のユーザＩＤ、乗車ポート、乗車日時、降車ポート、降車日時、乗車ポートから降車ポートまでの走行経路などの情報が互いに関連付けられて記憶されている。本実施の形態では、上述したように、各貸出車両の位置情報が車載機器６から貸出車両管理サーバ５へと送信されるようになっており、貸出車両管理サーバ５は、貸出車両が利用されるたびに、車載機器６から取得される貸出車両の位置情報を時間順に追跡することにより、乗車ポートから降車ポートまでの走行経路を把握する。把握された乗車ポートから降車ポートまでの走行経路は、貸出車両の利用実績情報として、貸出車両利用実績データベース５３ｂに記憶されて管理される。
【００３０】
（経路探索サーバ）
次に、経路探索サーバ３について説明する。図１に示すように、経路探索サーバ３は、第１サーバ通信部３１と、第１サーバ制御部３２と、第１サーバ記憶部３３とを有している。各部は、バスやネットワークを介して互いに通信可能に接続されている。
【００３１】
このうち第１サーバ通信部３１は、経路探索サーバ３とネットワーク４との間の通信インターフェースである。第１サーバ通信部３１は、ネットワーク４を介して経路探索サーバ３と端末装置２および貸出車両管理サーバ５との間で情報を送受信する。
【００３２】
第１サーバ記憶部３３は、たとえばハードディスク等の固定型データストレージである。第１サーバ記憶部３３には、第１サーバ制御部３２が取り扱う各種データが記憶される。たとえば、第１サーバ記憶部３３は、交通ネットワーク情報を含む経路ネットワーク情報データベース３３ａと、地図情報を含む地図情報データベース３３ｂと、経路探索実績データベース３３ｃとを含んでいる。
【００３３】
交通ネットワーク情報は、鉄道やバス等の交通網や道路網を規定する情報である。交通網の情報としては、交通機関の路線情報、時刻表情報、料金情報等を含む。道路網の情報は、例えば交差点等の道路網表現上の結節点であるノードのデータと、ノード間の道路区間であるリンクのデータとの組み合わせによって表現される。
【００３４】
地図情報は、全国および各地方の道路地図などの地図データと、地図データに対応付けられた地図オブジェクト情報を含む。地図オブジェクト情報とは、地図上に表示される施設の形状についての形状情報、地図上に表示される注記についての注記情報、地図上に表示される記号についての記号情報などである。また、地図情報は公共交通機関の路線図に関する路線図情報を含んでいてもよい。
【００３５】
上記の交通ネットワーク情報および地図情報は、所定のタイミングでアップデートされてもよい。交通ネットワーク情報および地図情報は、渋滞状況の予測や経路探索に用いられる。
【００３６】
経路探索実績データベース３３ｃには、複数のユーザの経路探索のログがデータベース化されている。たとえば、経路探索実績データベース３３ｃには、経路探索の実行ごとに、経路探索条件として指定された出発地および目的地の情報と、出発時刻または到着時刻の情報と、経路探索により得られた候補経路としての貸出車両経路および他の移動手段経路の情報とが、互いに関連づけられて記憶されている。
【００３７】
なお、第１サーバ記憶部３３は、必ずしも経路探索サーバ３内に設けられていなくてもよく、ネットワーク４を介して経路探索サーバ３と通信可能に接続された別の装置内に設けられていてもよい。
【００３８】
図１に示すように、第１サーバ制御部３２は、経路情報取得部３２ａと、経路情報出力部３２ｂとを有している。これらの各部は、経路探索サーバ３内のプロセッサが所定のプログラムを実行することにより実現されてもよいし、ハードウェアで実装されてもよい。
【００３９】
経路情報取得部３２ａは、端末入力部２４に対する経路探索条件の入力に応じて、たとえば経路ネットワーク情報データベース３３ａを参照して経路探索を行うことにより、経路探索条件を満たすような候補経路（すなわち、経路探索条件として指定された出発地から目的地までの候補経路）として、貸出車両経路および他の移動手段経路の情報を取得する。
【００４０】
なお、「貸出車両経路」は、出発地と目的地との間の経由地として乗車ポートと降車ポートとを少なくとも１組以上含んでいる経路である。「貸出車両経路」は、少なくとも一部に貸出車両を利用する経路であれば、徒歩の経路と貸出車両を利用する経路との組み合わせに限られるものではなく、公共交通機関を利用する経路と貸出車両を利用する経路との組み合わせであってもよいし、徒歩の経路と公共交通機関を利用する経路と貸出車両を利用する経路との組み合わせであってもよい。
【００４１】
一方、「他の移動手段経路」は、貸出車両をまったく利用しない経路であり、公共交通機関のみを利用する経路であってもよいし、徒歩のみの経路であってもよいし、徒歩の経路と公共交通機関を利用する経路との組み合わせであってもよい。
【００４２】
経路情報取得部３２ａは、貸出車両経路として、有人の店舗にて貸出・返却が行われるレンタカーやレンタルバイク、レンタサイクルなどを利用する経路を経路探索により取得する場合には、店舗での書類作成に要する時間を考慮して所要時間を計算してもよい。
【００４３】
本実施の形態では、経路情報取得部３２ａは、出発地から目的地までの候補経路として貸出車両経路および他の移動手段経路を経路探索により取得するとともに、貸出車両経路の利用可能性に関する情報を取得する。
【００４４】
「利用可能性に関する情報」は、乗車ポートまたは降車ポートに関する情報であって、現在または利用予定日時における、乗車ポートの満空、乗車ポートの貸出可能台数、乗車ポートに停車中の貸出車両の予約状況、乗車ポートに停車中の貸出車両の充電状況（たとえば、乗車ポートから降車ポートまでの移動に十分な電池残量か否か）、乗車ポートの最大車両数、降車ポートの満空、降車ポートの返却可能台数、降車ポートの最大車両数のうちのいずれかに基づく情報であってもよい。なお、本明細書において、乗車ポートの満空の「満」とは、乗車ポートの貸出可能台数がゼロであることを意味し、「空」とは、乗車ポートの貸出可能台数が１以上であることを意味するものとする。同様に、降車ポートの満空の「満」とは、降車ポートの返却可能台数がゼロであることを意味し、「空」とは、降車ポートの返却可能台数が１以上であることを意味するものとする。乗車ポートまたは降車ポートに営業時間が設定されている場合には、利用可能性に関する情報は、乗車ポートまたは降車ポートの営業時間に基づく情報であってもよい。
【００４５】
また、「利用可能性に関する情報」は、貸出車両経路の走行環境または経路状況に関する情報であって、現在または利用予定日時における、天候、気温、湿度、風向き、風速、降水確率、路面状況（たとえば、路面が濡れていて泥跳ねが生じる危険性があるか否か）、勾配、走行距離、幅員のうちのいずれかに基づく情報であってもよい。また、「利用可能性に関する情報」は、出発地から目的地まで妥当な貸出車両経路が存在することを明示する情報であってもよいし、貸出車両経路を他の移動手段経路と比較したときの優位性を示す情報であってもよい。
【００４６】
経路情報取得部３２ａは、貸出車両管理サーバ５の貸出車両利用実績データベース５３ｂを参照して乗車ポートまたは降車ポートにおける過去の利用実績の情報を取得し、または、経路探索実績データベース３３ｃを参照して乗車ポートまたは降車ポートを利用する経路探索実績を取得し、次いで、乗車ポートまたは降車ポートにおける過去の利用実績または経路探索実績に基づいて、現在または利用予定日時における乗車ポートまたは降車ポートの空き状況を予測することにより、貸出車両経路の利用可能性に関する情報として、乗車ポートまたは降車ポートの空き状況の情報を取得してもよい。
【００４７】
経路情報取得部３２ａは、貸出車両経路の利用可能性に関する情報を探索コストに換算して経路探索してもよい。具体的には、たとえば、経路情報取得部３２ａは、シェアサイクルを利用する経路については、天候が雨であったり、晴れていても猛暑であったり、風が強かったり、降水確率が高かったり、雨が降った後で路面が濡れていたり、上り坂が多かったり、走行距離が長かったりしたら、それらの要素を探索コストに加えて、経路探索してもよい。
【００４８】
経路情報出力部３２ｂは、経路情報取得部３２ａにより取得された候補経路の概要情報を比較可能に、端末装置２の端末出力部２５を介して出力する。図４は、経路情報出力部３２ｂにより端末装置２の端末出力部２５に出力される画面の一例を示す図である。図４に示す例では、貸出車両経路の概要情報を表示するボックス７１と、他の移動手段経路の概要情報を表示するボックス７２、７３とが、比較可能に上下に並べられて表示されている。図８に示すように、経路情報出力部３２ｂは、貸出車両経路の概要情報を表示するボックス７１を、他の移動手段経路の概要情報を表示するボックス７２、７３の一番下に別枠で表示してもよい。
【００４９】
本実施の形態では、経路情報出力部３２ｂは、貸出車両経路の概要情報と他の移動手段経路の概要情報とを比較可能に出力する際に、貸出車両経路の概要情報とともに、経路情報取得部３２ａにより取得された貸出車両経路の利用可能性に関する情報を出力する。図４および図８に示す例では、乗車ポートに関する情報として、現在、乗車ポートに貸出可能車両が１台以上有ること（すなわち、乗車ポートの満空が「空」であること）が、「有」というアイコン７４ａにより表示されている。
【００５０】
図５は、貸出車両経路の利用可能性に関する情報についての表示の別の一例を示す図である。図５に示す例では、降車ポートに関する情報として、利用予定日時において、降車ポートの返却可能台数が３台であることが、「３台空き予定」という文字列７４ｂにより表示されている。なお、貸出車両経路の利用可能性に関する情報として、乗車ポートの貸出可能台数や降車ポートの返却可能台数に基づく情報を出力する場合には、図５に示すように台数をそのまま出力してもよいし、台数の大小に応じて〇△×などで指標化したものを出力してもよい。
【００５１】
図６は、貸出車両経路の利用可能性に関する情報についての表示のさらに別の一例を示す図である。図６に示す例では、経路状況に関する情報として、経路の勾配に下り坂が多いことが「下り坂が多くオススメです」という文字列７４ｃにより表示されている。また、走行環境に関する情報として、天候が曇りであり、気温が２２℃であることが「曇り、２２℃」という文字列７４ｄにより表示されている。
【００５２】
経路情報出力部３２ｂは、乗車ポートと降車ポートの双方が利用可能である場合に、貸出車両経路の利用可能性に関する情報を出力し、乗車ポートと降車ポートのいずれか一方または双方が利用不可能である場合には、貸出車両経路の利用可能性に関する情報を出力しないように構成されていてもよい。
【００５３】
経路情報出力部３２ｂは、経路情報取得部３２ａにより取得された貸出車両経路の利用可能性に関する情報に基づいて、当該貸出車両経路の概要情報の出力の有無または表示順を決定してもよい。たとえば、経路情報出力部３２ｂは、乗車ポートと降車ポートの双方が利用可能である場合に、他の移動手段経路の概要情報ととともに貸出車両経路の概要情報を出力し、乗車ポートと降車ポートの少なくとも一方が利用不可である場合には、貸出車両経路の概要情報を出力せずに、他の移動手段経路の概要情報のみ出力することに決定してもよい。
【００５４】
経路情報出力部３２ｂは、妥当性のある貸出車両経路のみを提示するため、貸出車両経路を利用するのにメリットが少ない場合には、経路として推奨すべきではないとして、貸出車両経路を出力しない（または貸出車両経路の出力の優先度を下げる）ように制御してもよい。その他の例としては、たとえば、経路情報出力部３２ｂは、貸出車両経路に含まれる徒歩の経路の長さに基づいて、当該貸出車両経路の概要情報の出力の有無または表示順を決定してもよい。具体的には、たとえば、経路情報出力部３２ｂは、出発地から乗車ポートまでの距離が所定距離（たとえば１００ｍ）より短い場合にのみ、当該貸出車両経路の概要情報を出力し、出発地から乗車ポートまでの距離が所定距離（１００ｍ）以上あった場合には、当該貸出車両経路の概要情報を出力せずに、他の移動手段経路の概要情報のみ出力することに決定してもよい。
【００５５】
また、たとえば、経路情報出力部３２ｂは、出発地から目的地までの直線距離又は貸出車両の走行距離に基づいて、当該貸出車両経路の概要情報の出力の有無または表示順を決定してもよい。具体的には、たとえば、経路情報出力部３２ｂは、出発地から目的地までの直線距離又は貸出車両の走行距離が所定距離より短い場合にのみ、当該貸出車両経路の概要情報を出力し、出発地から目的地までの直線距離又は貸出車両の走行距離が所定距離以上あった場合には、（特にシェアサイクルの場合には、運転負荷が高いと推定し、）当該貸出車両経路の概要情報を出力せずに、他の移動手段経路の概要情報のみ出力することに決定してもよい。
【００５６】
また、たとえば、経路情報出力部３２ｂは、貸出車両経路の所要時間を他の移動手段経路の所要時間と比較したときの優位性に基づいて、当該貸出車両経路の概要情報の出力の有無または表示順を決定してもよい。具体的には、たとえば、経路情報出力部３２ｂは、貸出車両経路の所要時間を他の移動手段経路のうち最も所要時間のかかる経路の所要時間と比較してさらに所定時間以上要しない場合にのみ、当該貸出車両経路の概要情報を出力し、さらに所定時間以上要しない場合は、当該貸出車両経路の概要情報を出力せずに、他の移動手段経路の概要情報のみ出力することに決定してもよい。
【００５７】
経路情報出力部３２ｂは、貸出車両経路の利用可能性に関する情報に加えて、またはその代わりに、ユーザの属性情報（たとえば会員情報）やユーザの入力情報に基づいて、貸出車両経路の概要情報の出力の有無または表示順を決定してもよい。たとえば、経路情報出力部３２ｂは、あるシェアサイクルサービスを利用する貸出車両経路の概要情報については、ユーザが当該シェアサイクルサービスの会員であった場合にのみ、出力することに決定してもよい。また、経路情報出力部３２ｂは、ユーザがあるポイントサービスの会員であった場合には、当該ポイントを利用可能または提携関係にあるシェアサイクルサービスを利用する貸出車両経路の概要情報を、優先的に出力することに決定してもよい。
【００５８】
経路情報出力部３２ｂは、貸出車両経路の利用可能性に関する情報に基づいて、貸出車両経路の概要情報を出力することを決定した場合には、利用可能性に関する情報の一形態である、ユーザによる貸出車両経路の選択を後押しするような情報を、端末装置２の端末出力部２５を介して出力してもよい。図４および図８に示す例では、候補経路の概要情報を表示するボックス７１〜７３が比較可能に上下に並べて表示されるとともに、貸出車両経路の選択を後押しするような情報として「シェアサイクルを使えば移動時間が短縮できます！」というメッセージ７５が候補経路の概要情報を表示するボックス７１〜７３の上方に表示されている。なお、メッセージ７５は、それ自体が利用可能性情報の一形態である。経路情報出力部３２ｂは、貸出車両経路の選択を後押しするような情報として「シェアサイクルを使えば移動時間を○○分以上短縮できます！」などというメッセージを出力してもよい。あるいは、経路情報出力部３２ｂは、移動時間を○○分以上短縮できる場合にのみ、貸出車両経路の選択を後押しするような情報として「シェアサイクルを使えば移動時間が短縮できます！」というメッセージ７５を出力してもよい。
【００５９】
本実施の形態では、貸出車両経路の概要情報を表示するボックス７１が端末入力部２４を介してクリックまたはタップされると、貸出車両経路の詳細情報の出力要求が端末装置２から経路探索サーバ３へと送信されるようになっており、経路情報出力部３２ｂは、貸出車両経路の詳細情報の出力要求を受け付けると、貸出車両経路の詳細情報を、端末装置２の端末出力部２５を介して出力する。
【００６０】
経路情報出力部３２ｂは、貸出車両経路の詳細情報を出力する際に、乗車ポートから降車ポートまでの対象区間における貸出車両の予約画面へ遷移するための情報を出力してもよい。ここで、経路情報出力部３２ｂは、あるシェアサイクルサービスにおける貸出車両の予約画面へ遷移するための情報については、ユーザが当該シェアサイクルサービスの会員であった場合にのみ、出力してもよい。
【００６１】
図７は、経路情報出力部３２ｂにより端末装置２の端末出力部２５に出力される画面の一例を示す図である。図７に示す例では、貸出車両経路の詳細情報とともに、貸出車両の予約画面へ遷移するためのリンクが埋め込まれた「今すぐ予約＞」という文字列７６が表示されている。「今すぐ予約＞」という文字列７６が端末入力部２４を介してクリックまたはタップされると、端末出力部２５に表示される画面が、貸出車両管理サーバ５により提供される貸出車両の予約画面へと遷移されるようになっている。
【００６２】
経路情報出力部３２ｂは、車載機器６から取得される貸出車両の位置情報と端末装置２の位置情報とに基づいて、ユーザが貸出車両を利用して貸出車両経路を走行しているか否かを判定し、貸出車両経路の走行中であると判定された場合には、端末出力部２５を介して当該貸出車両経路のガイダンスを行ってもよい。
【００６３】
（動作の一例）
次に、図２を参照して、第１の実施形態に係る情報処理システム１の動作の一例について説明する。図２は、情報処理システム１の動作の一例を示すフローチャートである。
【００６４】
まず、端末入力部２４を介したユーザの操作により、端末装置２において、経路探索機能を利用するためのＷｅｂサイトまたはアプリが開かれると、端末制御部２２および／または第１サーバ制御部３２の動作により、端末出力部２５には、図３に示すように、経路探索条件を入力するための画面が表示される。図３に示す画面において、端末入力部２４を介したユーザの操作により、経路探索条件としての出発地、目的地、出発日時または到着日時の情報が入力され、「ルート検索」の文字列がクリックまたはタップされると、入力された経路探索条件が端末装置２から経路探索サーバ３へと送信される。なお、経路探索条件として、出発地、目的地、出発日時または到着日時の情報に加えて、行動を共にするグループの人数が入力されてもよい。さらに、経路探索条件として、許容する貸出車両の条件（電動自転車か否か、車種等）、貸出車両の事業者やサービス名の指定を入力できるようにしてもよい。
【００６５】
経路情報取得部３２ａは、経路ネットワーク情報データベース３３ａを参照して経路探索を行うことにより、経路探索条件を満たすような候補経路（すなわち、経路探索条件として指定された出発地から目的地までの候補経路）として、貸出車両経路および他の移動手段経路の情報を取得する（ステップＳ１１）。経路情報取得部３２ａは、貸出車両経路の利用可能性に関する情報を探索コストに換算して経路探索してもよい。
【００６６】
また、経路情報取得部３２ａは、貸出車両経路の利用可能性に関する情報を取得する（ステップＳ１２）。経路情報取得部３２ａは、貸出車両経路の利用可能性に関する情報として、現在または利用予定日時における、乗車ポートまたは降車ポートに関する情報を取得してもよいし、貸出車両経路の走行環境または経路状況に関する情報を取得してもよい。
【００６７】
ステップＳ１２において、経路情報取得部３２ａは、貸出車両利用実績データベース５３ｂを参照して乗車ポートまたは降車ポートにおける過去の利用実績の情報を取得し、または、経路探索実績データベース３３ｃを参照して乗車ポートまたは降車ポートを利用する経路探索実績を取得し、次いで、乗車ポートまたは降車ポートにおける過去の利用実績または経路探索実績に基づいて、現在または利用予定日時における乗車ポートまたは降車ポートの空き状況を予測することにより、貸出車両経路の利用可能性に関する情報として、乗車ポートまたは降車ポートの空き状況の情報を取得してもよい。
【００６８】
次いで、経路情報出力部３２ｂは、経路情報取得部３２ａにより取得された貸出車両経路の利用可能性に関する情報に基づいて、貸出車両経路の概要情報を出力するか否かを決定する（ステップＳ１３）。たとえば、経路情報出力部３２ｂは、乗車ポートと降車ポートの双方が利用可能である場合に、他の移動手段経路の概要情報ととともに貸出車両経路の概要情報を出力することに決定し、乗車ポートと降車ポートの少なくとも一方が利用不可である場合には、貸出車両経路の概要情報を出力せずに、他の移動手段経路の概要情報のみ出力することに決定する。
【００６９】
また、たとえば、経路探索条件として、行動を共にするグループの人数が指定されていた場合には、経路情報出力部３２ｂは、乗車ポートの貸出可能台数が、行動を共にするグループの人数以上であった場合に、他の移動手段経路の概要情報ととともに貸出車両経路の概要情報を出力することに決定し、乗車ポートの貸出可能台数が、行動を共にするグループの人数未満であった場合には、貸出車両経路の概要情報を出力せずに、他の移動手段経路の概要情報のみ出力することに決定する。
【００７０】
貸出車両経路の概要情報を出力しないことに決定した場合には（ステップＳ１４：ＮＯ）、経路情報出力部３２ｂは、経路情報取得部３２ａにより取得された貸出車両経路の概要情報を出力せずに、他の移動手段経路の概要情報のみを、端末装置２の端末出力部２５を介して出力する（ステップＳ２１）。
【００７１】
一方、貸出車両経路の概要情報を出力することに決定した場合には（ステップＳ１４：ＹＥＳ）、経路情報出力部３２ｂは、経路情報取得部３２ａにより取得された貸出車両経路の利用可能性に関する情報に基づいて、貸出車両経路の概要情報の表示順を決定する（ステップＳ１５）。
【００７２】
そして、経路情報出力部３２ｂは、図４に示すように、経路情報取得部３２ａにより取得された貸出車両経路の概要情報と他の移動手段経路の概要情報とを、ステップＳ１５で決定された表示順で比較可能に、端末装置２の端末出力部２５を介して出力する（ステップＳ１６）。図４に示す例では、経路情報出力部３２ｂは、貸出車両経路の概要情報を表示するボックス７１と、他の移動手段経路の概要情報を表示するボックス７２、７３とを、この順で比較可能に上下に並べて表示している。図８に示すように、経路情報出力部３２ｂは、貸出車両経路の概要情報を表示するボックス７１を、他の移動手段経路の概要情報を表示するボックス７２、７３の一番下に別枠で表示してもよい。
【００７３】
また、経路情報出力部３２ｂは、図４〜図６、図８に示すように、貸出車両経路の概要情報とともに、経路情報取得部３２ａにより取得された貸出車両経路の利用可能性に関する情報を出力する（ステップＳ１７）。図４および図８に示す例では、経路情報出力部３２ｂは、乗車ポートに関する情報として、現在、乗車ポートに貸出可能車両が１台以上有ることを、「有」というアイコン７４ａにより表示している。また、図５に示す例では、経路情報出力部３２ｂは、降車ポートに関する情報として、利用予定日時において、降車ポートの返却可能台数が３台であることを、「３台空き予定」という文字列７４ｂにより表示している。また、図６に示す例では、経路情報出力部３２ｂは、経路状況に関する情報として、経路の勾配に下り坂が多いことを「下り坂が多くオススメです」という文字列７４ｃにより表示するとともに、走行環境に関する情報として、天候が曇りであり、気温が２２℃であることが「曇り、２２℃」という文字列７４ｄにより表示している。
【００７４】
経路情報出力部３２ｂは、図４および図８に示すように、貸出車両経路の利用可能性に関する情報に加えて、ユーザによる貸出車両経路の選択を後押しするような情報をさらに出力してもよい。図４および図８に示す例では、経路情報出力部３２ｂは、貸出車両経路の選択を後押しするような情報として「シェアサイクルを使えば移動時間を〇分短縮できます！」というメッセージ７５を、候補経路の概要情報を表示するボックス７１〜７３の上方に表示している。なお、短縮時間の算出方法としては、経路情報出力部３２ｂは、貸出車両経路の所要時間を他の移動手段経路のうち最も所要時間の短い経路の所要時間と比較してどれだけ短縮できたか等、優位性を数値化して提示してもよい。その他時間は短縮されないが、貸出車両経路の所要時間を他の移動手段経路のうち最も所要時間の長い経路と比較して所定時間以内（例えば＋１０分以内）に収まるような場合にも経路の選択肢の一つとして提示する価値がある。その場合は、経路情報出力部３２ｂは、「シェアサイクルを利用する経路があります」等、貸出車両経路の存在を報知するメッセージを表示してもよい。また、経路情報出力部３２ｂは、料金や快適性における優位性を数値化して提示してもよい。
【００７５】
経路情報出力部３２ｂは、乗車ポートと降車ポートの双方が利用可能である場合に、貸出車両経路の利用可能性に関する情報を出力し、乗車ポートと降車ポートのいずれか一方または双方が利用不可能である場合には、貸出車両経路の利用可能性に関する情報を出力しないようにしてもよい。
【００７６】
次いで、端末入力部２４を介したユーザの操作により、貸出車両経路の概要情報を表示するボックス７１がクリックまたはタップされると、貸出車両経路の詳細情報の出力要求が端末装置２から経路探索サーバ３へと送信され、経路情報出力部３２ｂは、貸出車両経路の詳細情報の出力要求を受け付ける（ステップＳ１８）。
【００７７】
そして、経路情報出力部３２ｂは、図７に示すように、貸出車両経路の詳細情報を、端末装置２の端末出力部２５を介して出力する（ステップＳ１９）。
【００７８】
また、経路情報出力部３２ｂは、乗車ポートから降車ポートまでの対象区間における貸出車両の予約画面へ遷移するための情報を出力する（ステップＳ２０）。図７に示す例では、経路情報出力部３２ｂは、貸出車両経路の詳細情報とともに、貸出車両の予約画面へ遷移するためのリンクが埋め込まれた「今すぐ予約＞」という文字列７６を表示している。端末入力部２４を介したユーザの操作により、「今すぐ予約＞」という文字列７６がクリックまたはタップされると、端末出力部２５に表示される画面は、貸出車両管理サーバ５により提供される貸出車両の予約画面へと遷移され、貸出車両管理サーバ５上にて貸出車両に対する予約処理が行われる。
【００７９】
ところで、発明が解決しようとする課題の欄でも言及したように、本件発明者らの調査によれば、従来の経路探索システムでは、貸出車両を利用する経路（貸出車両経路）が経路探索により提示されたとしても、いざ利用するタイミングで車両を確実に利用できるかどうかや、利用に適した状況であるかどうかかが不明であり、実際の移動経路としては採用されないことが多かった。
【００８０】
これに対し、本実施の形態によれば、他の移動手段経路の概要情報とともに貸出車両経路の概要情報を比較可能に出力する際に、貸出車両経路の概要情報とともに、貸出車両経路の利用可能性に関する情報を出力するため、不確定要素が多い貸出車両経路であっても、ユーザは、貸出車両経路の利用可能性に関する情報を参照することで、安心して貸出車両経路を選択することができる。すなわち、ユーザの経路選択を後押しできる。また、事業者側では、貸出車両経路の概要情報とともに、貸出車両経路の利用可能性に関する情報を出力することにより、貸出車両の利用を効果的に訴求できる。これにより、貸出車両経路の利用機会を創出することが可能となる。
【００８１】
なお、上述した実施形態で説明した情報処理システム１の少なくとも一部は、ハードウェアで構成してもよいし、ソフトウェアで構成してもよい。ハードウェアで構成する場合には、情報処理システム１の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００８２】
また、情報処理システム１の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００８３】
さらに、一つまたは複数の情報処理装置によって情報処理システム１を機能させてもよい。複数の情報処理装置を用いる場合、情報処理装置のうちの１つをコンピュータとし、当該コンピュータが所定のプログラムを実行することにより情報処理システム１の少なくとも１つの手段として機能が実現されてもよい。
【００８４】
また、方法の発明においては、全ての工程（ステップ）をコンピュータによって自動制御で実現するようにしてもよい。また、各工程をコンピュータに実施させながら、工程間の進行制御を人の手によって実施するようにしてもよい。また、さらには、全工程のうちの少なくとも一部を人の手によって実施するようにしてもよい。
【００８５】
上記の記載に基づいて、当業者であれば、本発明の追加の効果や様々の変形を想到できるかもしれないが、本発明の態様は、上述した個々の実施形態に限定されるものではない。特許請求の範囲に規定された内容およびその均等物から導き出される本発明の概念的な思想と趣旨を逸脱しない範囲で種々の追加、変更および部分的削除が可能である。
【符号の説明】
【００８６】
１      情報処理システム
２      端末装置
２１    端末通信部
２２    端末制御部
２３    端末記憶部
２４    端末入力部
２５    端末表示部
３      経路探索サーバ
３１    第１サーバ通信部
３２    第１サーバ制御部
３２ａ  経路情報取得部
３２ｂ  経路情報出力部
３３    第１サーバ記憶部
３３ａ  経路ネットワーク情報データベース
３３ｂ  地図情報データベース
３３ｃ  経路探索実績データベース
４      ネットワーク
５      貸出車両管理サーバ
５１    第２サーバ通信部
５２    第２サーバ制御部
５３    第２サーバ記憶部
５３ａ  ポート利用状況データベース
５３ｂ  貸出車両利用実績データベース
６      車載機器
６１    車載機器通信部
６２    位置測位部
６３    ビーコン受信部
７      ポート設置機器
７０    ビーコン発信部
【図１】
2020051763.tif 000003
【図２】
2020051763.tif 000004
【図３】
2020051763.tif 000005
【図４】
2020051763.tif 000006
【図５】
2020051763.tif 000007
【図６】
2020051763.tif 000008
【図７】
2020051763.tif 000009
【図８】
2020051763.tif 000010